(57)【要約】【課題】鉛弾等の汚染固体物質を効率的に分離回収することができる汚染固体物質の回収方法及び装置を提供すること。【解決手段】吸引管１により気体と共に汚染固体物質３を吸引し、吸引した汚染固体物質３から粗粒分３ａを分級装置４により分級するとともに、分級後の細粒分３ｂを集塵装置５により集塵する。【選択図】  図１
2004290824.tif 000002
【特許請求の範囲】
【請求項１】
吸引管により気体と共に汚染固体物質を吸引し、該吸引した汚染固体物質から粗粒分を分級装置により分級するとともに、分級後の細粒分を集塵装置により集塵することを特徴とする汚染固体物質の回収方法。
【請求項２】
集塵装置の吸い込み量を調整することにより、集塵装置により集塵する細粒分に比重の重い汚染固体物質が実質的に含まれないようにすることを特徴とする請求項１記載の汚染固体物質の回収方法。
【請求項３】
汚染固体物質の回収装置において、吸引管により汚染固体物質を吸引する吸引装置と、該吸引装置の下流側に配設され、吸引した汚染固体物質から粗粒分を分級する分級装置と、該分級装置の下流側に配設され、分級後の細粒分を集塵する集塵装置とを備えたことを特徴とする汚染固体物質の回収装置。
【請求項４】
吸引した汚染固体物質から粗粒分を分級する分級装置にサイクロンを用い、該サイクロンの下部排出部に回転ヒンジ式ダンパーを配設し、該ダンパーを閉じ方向に付勢してなることを特徴とする請求項３記載の汚染固体物質の回収装置。
【発明の詳細な説明】
【０００１】
【発明の属する技術分野】
本発明は、汚染固体物質の回収方法及び装置に関し、特に、例えば、乾式による鉛弾の分離回収方法において、鉛弾を効率的に分離回収することができる汚染固体物質の回収方法及び装置に関するものである。
【０００２】
【従来の技術】
例えば、散弾銃やライフル等の射撃場では、屋外で的撃ちをすることから土壌中に鉛弾が分散される。これらの鉛弾は、従来はそのまま放置されているため、鉛弾そのものが汚染固体物質となって土壌が汚染されるという問題を有していた。
【０００３】
このような鉛弾を土砂から分離回収する方法として、湿式では水流等を利用した比重差選別、乾式では風力を利用した比重差選別が考えられる。
湿式による鉛弾の分離回収方法は、高い確率で鉛弾を分別して回収することが可能であるが、鉛汚染された水の処理が必要となり、コストが著しく高くなるという問題を有している。
これに対し、乾式による鉛弾の分離回収方法は、コストやシステム的に有利であるが、風力による分別だけでは湿式のような高い確率で鉛弾を回収することができず、また、粉塵対策も必要であるなどの問題があった。
【０００４】
【発明が解決しようとする課題】
本発明は、上記従来の汚染固体物質の回収方法が有する問題点に鑑み、例えば、鉛弾等の汚染固体物質を効率的に分離回収することができる汚染固体物質の回収方法及び装置を提供することを目的とする。
【０００５】
【課題を解決するための手段】
上記目的を達成するため、本発明の汚染固体物質の回収方法は、吸引管により気体と共に汚染固体物質を吸引し、該吸引した汚染固体物質から粗粒分を分級装置により分級するとともに、分級後の細粒分を集塵装置により集塵することを特徴とする。
【０００６】
この汚染固体物質の回収方法は、吸引管により気体と共に汚染固体物質を吸引し、該吸引した汚染固体物質から粗粒分を分級装置により分級するとともに、分級後の細粒分を集塵装置により集塵することから、鉛弾等の汚染固体物質を吸引管で吸引して吸引装置により空気搬送し、分級装置で回収することができ、集塵装置の吸い込み量を調整することにより、回収物の粒度調整を可能にするとともに、配管長（搬送長）の違いによる空気量変化（搬送能力変化）にも容易に対応することができ、さらに、搬送ホースから回収バッグヘ直接投入する場合に比べて、搬送効率（能力）が高く、分級も可能で粉塵の飛散も少なくすることができる。
【０００７】
この場合において、集塵装置の吸い込み量を調整することにより、集塵装置により集塵する細粒分に比重の重い汚染固体物質が実質的に含まれないようにする
ここで、「実質的に含まれない」とは、汚染固体物質の含有量が極めて少ない場合を含むものとする。
【０００８】
これにより、分別処理が可能となり、汚染固体物質の処理コストを低廉にできる。
【０００９】
また、本発明の汚染固体物質の回収装置は、汚染固体物質の回収装置において、吸引管により汚染固体物質を吸引する吸引装置と、該吸引装置の下流側に配設され、吸引した汚染固体物質から粗粒分を分級する分級装置と、該分級装置の下流側に配設され、分級後の細粒分を集塵する集塵装置とを備えたことを特徴とする。
【００１０】
この汚染固体物質の回収装置は、吸引管により汚染固体物質を吸引する吸引装置と、該吸引装置の下流側に配設され、吸引した汚染固体物質から粗粒分を分級する分級装置と、該分級装置の下流側に配設され、分級後の細粒分を集塵する集塵装置とを備えることから、鉛弾等の汚染固体物質を吸引管で吸引して吸引装置により空気搬送し、分級装置で回収することができ、集塵装置の吸い込み量を調整することにより、回収物の粒度調整を可能にするとともに、配管長（搬送長）の違いによる空気量変化（搬送能力変化）にも容易に対応することができ、さらに、搬送ホースから回収バッグヘ直接投入する場合に比べて、搬送効率（能力）が高く、分級も可能で粉塵の飛散も少なくすることができる。
【００１１】
この場合において、吸引した汚染固体物質から粗粒分を分級する分級装置にサイクロンを用い、該サイクロンの下部排出部に回転ヒンジ式ダンパーを配設し、該ダンパーを閉じ方向に付勢することができる。
【００１２】
これにより、集塵装置の吸引力がインジェクターの空気搬送能力を有効に引き出することができる。
【００１３】
【発明の実施の形態】
以下、本発明の汚染固体物質の回収方法及び装置の実施の形態を図面に基づいて説明する。
【００１４】
図１〜図２に、本発明の汚染固体物質の回収方法及び装置の１実施例を示す。
この汚染固体物質の回収方法は、吸引管１により気体と共に汚染固体物質３を吸引し、該吸引した汚染固体物質３から粗粒分３ａを分級装置４により分級するとともに、分級後の細粒分３ｂを集塵装置５により集塵する。
【００１５】
また、この回収方法に使用して好適な汚染固体物質の回収装置は、吸引管１により汚染固体物質３を吸引する吸引装置２と、該吸引装置２の下流側に配設され、吸引した汚染固体物質３から粗粒分３ａを分級する分級装置４と、該分級装置４の下流側に配設され、分級後の細粒分３ｂを集塵する集塵装置５とを備えている。
【００１６】
吸引装置２は、コンプレッサ６の圧搾空気を利用して吸引を行うインジェクターからなり、吸引側に接続された吸引管１より鉛弾と土等を空気とともに吸引し、排出側に接続された配管（又はホース）を介して分級装置４に空気搬送する。
【００１７】
分級装置４はサイクロンからなり、インジェクターにより高速で空気搬送された汚染固体物質３から粗粒分として鉛弾を分級し回収することができる。
サイクロンの下部排出部には、重力式（又はバネ式）の回転ヒンジ式ダンパーが設けてあり、該ダンパーは、常時は閉じている状態で、集塵装置の吸引力がインジェクターの空気搬送能力を有効に引き出している。
また、サイクロンに回収された物質は、所定重量に達したとき、それ自体の重量で、ダンパーを押し下げて、下部に設置したフレコンバッグ等に自動的に回収される。このときも、常に集塵装置によりサイクロン内を負圧に保つことにより、サイクロンから排出するときの粉塵の発生を減じることができる。
なお、サイクロンは、２次空気を導入可能に構成することにより、サイクロンの分級能力を可変にすることができる。
【００１８】
集塵装置５は、集塵機５１とブロワ５２とを備え、鉛弾を除去した後の汚染固体物質３を細粒分（微粒分）として集塵することができる。
この場合、インジェクターの搬送空気量に対して、集塵装置５の吸い込み量を調整加減することにより、分級装置４や集塵装置５での回収物の粒度調整ができるとともに、配管長（搬送長）の違いによる空気量変化（搬送能力変化）にも容易に対応することができる。
【００１９】
ところで、散弾銃やライフル等の射撃場では、屋外で的撃ちをすることから土壌中に鉛弾が分散される。これらの鉛弾は、従来はそのまま放置されている。
このような鉛弾等の有害物質を回収する工事においては、従来、人間の手作業による回収作業が一般に行われているが、特に、土壌中の粒径の小さな鉛弾（直径３ｍｍ未満）などの回収は、非常な手間を要する上に取り残しも多いという問題を有している。
【００２０】
本実施例の汚染固体物質の回収方法及び装置は、このような鉛弾等の汚染固体物質を吸引管１で吸引して吸引装置２により空気搬送し、分級装置４で回収することができる。
この場合、集塵装置５の吸い込み量を調整することにより、回収物の粒度調整を可能にするとともに、配管長（搬送長）の違いによる空気量変化（搬送能力変化）にも容易に対応することができる。
また、この汚染固体物質の回収装置は、搬送ホースから回収バッグヘ直接投入する場合に比べて、搬送効率（能力）が高く、分級も可能で粉塵の飛散も少ない。
さらに、分級装置４と集塵装置５、発電機等の機材を運搬車などに搭載して機動性を向上させれば、広範囲において効率よく回収作業をすることができる。
【００２１】
射撃場では、鉛弾そのものが存在していることにより土壌が汚染の基準を超えてしまうが、鉛溶出での土壌のみの汚染は一般的にはあまりみられない。
そのため、集塵装置５の吸い込み量を調整しながら、サイクロンで分級すれば、集塵装置５側には（鉛の比重が大きいため）鉛弾はほとんど移行せず、したがって、集塵装置５により集塵する細粒分に比重の重い汚染固体物質が実質的に含まれない（汚染固体物質の含有量が極めて少ない場合を含む）こととなって、集塵装置５側の回収分はそのまま廃棄する分別処理が可能となり、汚染固体物質の処理コストを低廉にできる。
また、サイクロンで回収されるものは、できるだけ、細粒分が少ないほど、その後の鉛弾分別作業に支障が出ない。例えば、分別機のベルトコンベアに細粒分が付着して搬送効率が悪くなったり、篩の目詰まりが多くなったりすることを防止することができる。
【００２２】
以上、本発明の汚染固体物質の回収方法及び装置の実施例を説明したが、本発明の構成は、上記実施例の記載に限定されるものではなく、その趣旨を逸脱しない範囲において適宜に変更することが可能である。
また、本発明の汚染固体物質の回収方法及び装置は、鉛弾以外の汚染物質にも広く適用できるものであり、これを排除するものでない。
【００２３】
【発明の効果】
本発明の汚染固体物質の回収方法によれば、吸引管により気体と共に汚染固体物質を吸引し、該吸引した汚染固体物質から粗粒分を分級装置により分級するとともに、分級後の細粒分を集塵装置により集塵することから、鉛弾等の汚染固体物質を吸引管で吸引して吸引装置により空気搬送し、分級装置で回収することができ、集塵装置の吸い込み量を調整することにより、回収物の粒度調整を可能にするとともに、配管長（搬送長）の違いによる空気量変化（搬送能力変化）にも容易に対応することができ、さらに、搬送ホースから回収バッグヘ直接投入する場合に比べて、搬送効率（能力）が高く、分級も可能で粉塵の飛散も少なくすることができる。
【００２４】
この場合において、集塵装置の吸い込み量を調整することにより、集塵装置により集塵する細粒分に比重の重い汚染固体物質が実質的に含まれないようにすることにより、分別処理が可能となり、汚染固体物質の処理コストを低廉にできる。
【００２５】
また、本発明の汚染固体物質の回収装置によれば、吸引管により汚染固体物質を吸引する吸引装置と、該吸引装置の下流側に配設され、吸引した汚染固体物質から粗粒分を分級する分級装置と、該分級装置の下流側に配設され、分級後の細粒分を集塵する集塵装置とを備えることから、鉛弾等の汚染固体物質を吸引管で吸引して吸引装置により空気搬送し、分級装置で回収することができ、集塵装置の吸い込み量を調整することにより、回収物の粒度調整を可能にするとともに、配管長（搬送長）の違いによる空気量変化（搬送能力変化）にも容易に対応することができ、さらに、搬送ホースから回収バッグヘ直接投入する場合に比べて、搬送効率（能力）が高く、分級も可能で粉塵の飛散も少なくすることができる。
【００２６】
この場合において、吸引した汚染固体物質から粗粒分を分級する分級装置にサイクロンを用い、該サイクロンの下部排出部に回転ヒンジ式ダンパーを配設し、該ダンパーを閉じ方向に付勢することにより、集塵装置の吸引力がインジェクターの空気搬送能力を有効に引き出することができる。
【図面の簡単な説明】
【図１】本発明の汚染固体物質の回収方法及び装置の１実施例を示す説明図である。
【図２】同実施例の吸引工程を示す説明図である。
【符号の説明】
１    吸引管
２    吸引装置
３    汚染固体物質
３ａ  粗粒分
３ｂ  細粒分
４    分級装置
５    集塵装置
５１  集塵機
５２  ブロワ
６    コンプレッサ
【図１】
2004290824.tif 000003
【図２】
2004290824.tif 000004